(57)【特許請求の範囲】
【請求項１】
ローカル・エンド・ノードにより、前記ローカル・エンド・ノードが受信したＳＤＨ／ＳＯＮＥＴフレームのセクション・オーバーヘッド・バイトからデータ通信チャネル（ＤＣＣ）バイトを含む対象オーバーヘッド・バイトを分離し、前記対象オーバーヘッド・バイトは前記セクション・オーバーヘッド・バイトの一部であり、
前記対象オーバーヘッド・バイトをパッケージ化することで専用オーバーヘッド・パケットを取得し、
前記ローカル・エンド・ノードとピア・エンド・ノードとの間のスードワイヤを介して、前記専用オーバーヘッド・パケットを、前記スードワイヤのサービス・パケットとして前記ピア・エンド・ノードに送信することと、
を含む、ＳＤＨ／ＳＯＮＥＴセクション・オーバーヘッド・バイトを伝送する方法。
【請求項２】
前記ローカル・エンド・ノードと前記ピア・エンド・ノードとの間の前記スードワイヤを介して、前記専用オーバーヘッド・パケットを、前記スードワイヤの前記サービス・パケットとして前記ピア・エンド・ノードに送信することは、
前記専用オーバーヘッド・パケットと前記ＳＤＨ／ＳＯＮＥＴフレームのペイロードを搬送するパケットとを同じスードワイヤを介して前記ピア・エンド・ノードに送信することを含み、
前記ペイロードを搬送するパケットと前記専用オーバーヘッド・パケットとは、前記同じスードワイヤのサービス・パケットとして共に伝送され、
あらゆる２個の専用オーバーヘッド・パケットの間に位置する前記ペイロードを搬送するパケットの個数が等しい、
請求項１に記載のＳＤＨ／ＳＯＮＥＴセクション・オーバーヘッド・バイトを伝送する方法。
【請求項３】
前記ペイロードを搬送するパケットおよび前記専用オーバーヘッド・パケットのパケットヘッダが共にタイプフィールドを含み、前記タイプフィールドは、前記パケット内で搬送される内容の種類を識別するため使用され、前記内容の種類は、ペイロードタイプ、オーバーヘッドタイプまたは予約タイプを含む、請求項２に記載のＳＤＨ／ＳＯＮＥＴセクション・オーバーヘッド・バイトを伝送する方法。
【請求項４】
前記ローカル・エンド・ノードと前記ピア・エンド・ノードとの間の前記スードワイヤを介して、前記専用オーバーヘッド・パケットを、前記スードワイヤの前記サービス・パケットとして前記ピア・エンド・ノードに送信することは、
前記専用オーバーヘッド・パケットを、専用スードワイヤを介して、前記専用スードワイヤのサービス・パケットとして前記ピア・エンド・ノードに伝送することを含む、
請求項１に記載のＳＤＨ／ＳＯＮＥＴセクション・オーバーヘッド・バイトを伝送する方法。
【請求項５】
前記ＳＤＨ／ＳＯＮＥＴフレームのペイロードを搬送するパケットは、別のスードワイヤを介して前記ピア・エンド・ノードに送信され、
前記ペイロードを伝送するスードワイヤおよび前記専用スードワイヤは、同じ伝送用ＬＳＰに共にバインドされるか、または、前記ペイロードを伝送するスードワイヤと前記専用スードワイヤの各々が、別個の１つの伝送用ＬＳＰに対応する、
請求項４に記載のＳＤＨ／ＳＯＮＥＴセクション・オーバーヘッド・バイトを伝送する方法。
【請求項６】
前記対象オーバーヘッド・バイトは、連番１バイトから連番４バイトと、Ｅ１バイトと、Ｆ１バイトと、Ｅ２バイトと、Ｋ１バイトと、Ｋ２バイトと、前記セクション・オーバーヘッド・バイト中の構成可能バイトとをさらに含み、前記構成可能バイトは、伝送されるべきオーバーヘッド・バイトを拡張するため使用される、請求項１〜５のいずれか一項に記載のＳＤＨ／ＳＯＮＥＴセクション・オーバーヘッド・バイトを伝送する方法。
【請求項７】
スードワイヤを介して送信され、前記スードワイヤのサービス・パケットとして伝送された専用オーバーヘッド・パケットをピア・エンド・ノードによって受信し、
前記専用オーバーヘッド・パケットからデータ通信チャネル（ＤＣＣ）バイトを含む対象オーバーヘッド・バイトを抽出し、前記対象オーバーヘッド・バイトは、前記ピア・エンド・ノードが受信したＳＤＨ／ＳＯＮＥＴフレームのセクション・オーバーヘッド・バイトの一部であること、
を含む、ＳＤＨ／ＳＯＮＥＴセクション・オーバーヘッド・バイトを伝送する方法。
【請求項８】
前記専用オーバーヘッド・パケットから前記対象オーバーヘッド・バイト抽出することは、
パケットヘッダ内のタイプフィールドに応じて前記スードワイヤの前記サービス・パケットから前記専用オーバーヘッド・パケットを識別し、
前記識別された専用オーバーヘッド・パケットから前記対象オーバーヘッドを抽出すること、
を含む、請求項７に記載のＳＤＨ／ＳＯＮＥＴセクション・オーバーヘッド・バイトを伝送する方法。
【請求項９】
前記専用オーバーヘッド・パケットから前記対象オーバーヘッド・バイトを抽出することは、
前記スードワイヤのラベルに応じて専用スードワイヤを識別し、
前記専用スードワイヤのサービス・パケットから前記専用オーバーヘッド・パケットを識別し、
前記識別された専用オーバーヘッド・パケットから前記対象オーバーヘッド・バイトを抽出すること、
を含む、請求項７に記載のＳＤＨ／ＳＯＮＥＴセクション・オーバーヘッド・バイトを伝送する方法。
【請求項１０】
伝送されないオーバーヘッド・バイトを再生成し、
前記抽出された対象オーバーヘッド・バイトと前記再生成されたオーバーヘッド・バイトとを再構成されたＳＤＨ／ＳＯＮＥＴフレームに挿入すること、
をさらに含み、
前記再構成されたＳＤＨ／ＳＯＮＥＴフレーム内の前記対象オーバーヘッド・バイトおよび前記再生成されたオーバーヘッド・バイトのそれぞれの位置が、伝送前の前記ＳＤＨ／ＳＯＮＥＴフレーム内のこれらバイトのそれぞれの位置と同じである、
請求項７から９のいずれか１項に記載のＳＤＨ／ＳＯＮＥＴセクション・オーバーヘッド・バイトを伝送する方法。
【請求項１１】
受信したＳＤＨ／ＳＯＮＥＴフレームのセクション・オーバーヘッド・バイトからデータ通信チャネルＤＣＣバイトを含む対象オーバーヘッド・バイトを分離するように構成されており、前記対象オーバーヘッド・バイトは前記セクション・オーバーヘッド・バイトの一部である、分離ユニットと、
前記対象オーバーヘッド・バイトをパッケージ化して専用オーバーヘッド・パケットを取得するように構成されているパッケージングユニットと、
通信装置とピア・エンド・ノードとの間のスードワイヤを介して、前記専用オーバーヘッド・パケットを、前記スードワイヤのサービス・パケットとして前記ピア・エンド・ノードに送信するように構成されている送信ユニットと、
を備える通信装置。
【請求項１２】
前記送信ユニットは、前記専用オーバーヘッド・パケットおよび前記ＳＤＨ／ＳＯＮＥＴフレームのペイロードを搬送するパケットを同じスードワイヤを介して前記ピア・エンド・ノードに送信するように構成されている第１の送信モジュールを備え、
前記ペイロードを搬送するパケットおよび前記専用オーバーヘッド・パケットは、前記同じスードワイヤのサービス・パケットとして共に伝送され、あらゆる２個の専用オーバーヘッド・パケットの間に位置する前記ペイロードを搬送するパケットの個数が等しい、請求項１１に記載の通信装置。
【請求項１３】
前記送信ユニットは、
前記専用オーバーヘッド・パケットを、専用スードワイヤを介して、前記専用スードワイヤのサービス・パケットとして前記ピア・エンド・ノードに送信するように構成されている第２の送信モジュールを備え、
前記第２の送信モジュールは、前記ＳＤＨ／ＳＯＮＥＴフレームのペイロードを搬送するパケットを別のスードワイヤを介して前記ピア・エンド・ノードに送信するようさらに構成されている、請求項１１に記載の通信装置。
【請求項１４】
ピア・エンド・ノードによってスードワイヤを介して送信され、前記スードワイヤのサービス・パケットとして伝送された専用オーバーヘッド・パケットを受信するように構成されている受信ユニットと、
前記専用オーバーヘッド・パケットからデータ通信チャネル（ＤＣＣ）バイトを含む対象オーバーヘッド・バイトを抽出するように構成されており、前記対象オーバーヘッド・バイトは、前記ピア・エンド・ノードが受信したＳＤＨ／ＳＯＮＥＴフレームのセクション・オーバーヘッド・バイトの一部である、抽出ユニットと、
を備える通信装置。
【請求項１５】
前記抽出ユニットは、
前記パケットのパケットヘッダ内のタイプフィールドに応じて前記スードワイヤの前記サービス・パケットから前記専用オーバーヘッド・パケットを識別するように構成されている第１の識別モジュールと、
前記識別された専用オーバーヘッド・パケットから前記対象オーバーヘッド・バイトを抽出するように構成されている第１の抽出モジュールと、
を備える、請求項１４に記載の通信装置。
【請求項１６】
前記抽出ユニットは、
前記スードワイヤのラベルに応じて専用スードワイヤを識別し、前記専用スードワイヤのサービス・パケットから前記専用オーバーヘッド・パケットを識別するように構成されている第２の識別モジュールと、
前記識別された専用オーバーヘッド・パケットから前記対象オーバーヘッド・バイトを抽出するように構成されている第２の抽出モジュールと、
を備える、請求項１４に記載の通信装置。
【請求項１７】
伝送されないオーバーヘッド・バイトを再生成するように構成されている再生成ユニットと、
前記抽出された対象オーバーヘッド・バイトおよび前記再生成されたオーバーヘッド・バイトを再構成されたＳＤＨ／ＳＯＮＥＴフレームに挿入するように構成されている再構成ユニットと、
をさらに備え、前記再構成されたＳＤＨ／ＳＯＮＥＴフレーム内の前記対象オーバーヘッド・バイトおよび前記再生成されたオーバーヘッド・バイトのそれぞれの位置がｍ伝送前の前記ＳＤＨ／ＳＯＮＥＴフレーム内のこれらバイトのそれぞれの位置と同じである、請求項１４から１６のいずれか１項に記載の通信装置。
【請求項１８】
受信したＳＤＨ／ＳＯＮＥＴフレームのセクション・オーバーヘッド・バイトからデータ通信チャネル（ＤＣＣ）バイトを含む対象オーバーヘッド・バイトを分離し、前記対象オーバーヘッド・バイトは前記セクション・オーバーヘッド・バイトの一部であり、前記対象オーバーヘッド・バイトをパッケージ化して専用オーバーヘッド・パケットを取得し、前記専用オーバーヘッド・パケットを、スードワイヤを介して、前記スードワイヤのサービス・パケットとしてピア・エンド・ノードに送信するように構成されているローカル・エンド・ノードと、
前記スードワイヤを介して送信され、前記スードワイヤの前記サービス・パケットとして伝送される前記専用オーバーヘッド・パケットを受信し、前記専用オーバーヘッド・パケットから前記ＤＣＣバイトを含む前記対象オーバーヘッド・バイトを抽出するように構成されているピア・エンド・ノードと、
を備える、ＳＤＨ／ＳＯＮＥＴセクション・オーバーヘッド・バイトを伝送するシステム。
【発明の詳細な説明】
【技術分野】
【０００１】
本発明は、通信技術の分野に関し、特に、ＳＤＨ／ＳＯＮＥＴセクション・オーバーヘッド・バイトを伝送する方法、装置、およびシステムに関する。
【背景技術】
【０００２】
現在のところ、ＳＤＨ（同期デジタル・ハイアラーキ）ネットワークをＰＴＮ（パケット伝送ネットワーク）ネットワークに置き換えるプロセスにおいて、一般に、現行のＳＤＨネットワークとの相互作用を実施し、ＳＤＨネットワークを管理・保守するために、ＳＤＨネットワークのサービス、ネットワーキング手法、および、メンテナンスモードと互換性があることが必要である。
【０００３】
ＳＤＨネットワークは、信号を伝送するためにＳＴＭ−Ｎフレーム構造を使用し、フレーム構造は、ＳＯＨ（セクション・オーバーヘッド）と、マネージメント・ユニット・ポインタと、情報ペイロードとを含み、ここで、ＳＯＨは、ＲＳＯＨ（再生セクション・オーバーヘッド）と、ＭＳＯＨ（多重セクション・オーバーヘッド）とを含む。ＳＤＨ／ＳＯＮＥＴの全ＳＯＨバイトにおいて、Ｄ１からＤ１２までのバイトは、ＳＤＨのマネージメント・バイトであり、これらは、ＤＣＣ（データ通信チャネル）バイトとも称される。ＰＴＮネットワークによるＳＤＨネットワークの管理を簡単にするため、ＰＴＮネットワーク内のＰＴＮネットワークの２つの端部でＳＤＨのＤＣＣバイトを透過的に伝送することが必要とされる。
【０００４】
従来技術では、ＤＣＣバイトは、スードワイヤ（ｐｓｕｅｄｏ ｗｉｒｅ）のマネージメント・パケットを使用することにより伝送される。マネージメント・パケットがＤＣＣバイトを搬送することを指示するために、スードワイヤのマネージメント・パケット内でチャネルタイプが特定の値に設定され、同時に、透過的に伝送される必要があるＤＣＣバイトは、伝送のためＯＡＭパケット・フィールドの中に入れられる。
【０００５】
しかし、発明者は、既存の方法を使用してＳＯＨのＤＣＣバイトがスードワイヤのマネージメント・パケットに入れられ、スードワイヤによってエミュレートされたサービスのマネージメント情報がスードワイヤのマネージメント・パケットを使用することにより伝送される場合、ＤＣＣバイトの透過的な伝送を実現することができるものの、ＰＴＮネットワーク内の中間ノードは、マネージメント・パケットがスードワイヤのマネージメント情報を搬送するか、または、ＳＤＨサービスのマネージメント情報を搬送するかを識別する必要があるので、ＰＴＮネットワーク内の中間ノードの負担を増大する。
【発明の概要】
【発明が解決しようとする課題】
【０００６】
本開示は、ＰＴＮネットワーク内でＤＣＣバイトを伝送するプロセスにおいてＰＴＮネットワークの中間ノードの負担を軽減する、ＳＤＨ／ＳＯＮＥＴセクション・オーバーヘッド・バイトを伝送する方法、装置およびシステムを提供する。
【課題を解決するための手段】
【０００７】
前述の目的を達成するために、本開示の態様は、以下の技術的な解決手段を採用する。
【０００８】
本開示の一態様によれば、スードワイヤがローカル・エンド・ノードとピア・エンド・ノードとの間に確立されるＳＤＨ／ＳＯＮＥＴセクション・オーバーヘッド・バイトを伝送する方法は、
ローカル・エンド・ノードによって、ＳＤＨ／ＳＯＮＥＴフレームのセクション・オーバーヘッド・バイトから、ＤＣＣバイトを含む対象オーバーヘッド・バイトを分離し、
対象オーバーヘッド・バイトをパッケージ化することで専用オーバーヘッド・パケットを取得し、
専用オーバーヘッド・パケットを、スードワイヤのサービス・パケットとして、スードワイヤを介してピア・エンド・ノードに送信すること、
を含む。
【０００９】
本開示の別の態様によれば、ＳＤＨ／ＳＯＮＥＴセクション・オーバーヘッド・バイトを伝送する方法は、
スードワイヤを介して送信され、スードワイヤのサービス・パケットとして伝送される専用オーバーヘッド・パケットをピア・エンド・ノードによって受信し、
専用オーバーヘッド・パケットからＤＣＣバイトを含む対象オーバーヘッド・バイトを抽出すること、
を含む。
【００１０】
本開示の別の態様によれば、通信装置は、
ＳＤＨ／ＳＯＮＥＴフレームのセクション・オーバーヘッド・バイトから、ＤＣＣバイトを含む対象オーバーヘッド・バイトを分離するように構成されている分離ユニットと、
対象オーバーヘッド・バイトをパッケージ化することで専用オーバーヘッド・パケットを取得するように構成されているパッケージングユニットと、
通信装置とピア・エンド・ノードとの間のスードワイヤを介して、専用オーバーヘッド・パケットを、スードワイヤのサービス・パケットとしてピア・エンド・ノードに送信するように構成されている送信ユニットと、
を含む。
【００１１】
本開示の別の態様によれば、通信装置は、
スードワイヤを介して送信され、スードワイヤのサービス・パケットとして伝送される専用オーバーヘッド・パケットをピア・エンド・ノードによって受信するように構成されている受信ユニットと、
専用オーバーヘッド・パケットから、ＤＣＣバイトを含む対象オーバーヘッド・バイトを抽出するように構成されている抽出ユニットと、
を含む。
【００１２】
本開示の別の態様によれば、ＳＤＨ／ＳＯＮＥＴセクション・オーバーヘッド・バイトを伝送するシステムは、
ＳＤＨ／ＳＯＮＥＴフレームのセクション・オーバーヘッド・バイトからＤＣＣバイトを含む対象オーバーヘッド・バイトを分離し、対象オーバーヘッド・バイトをパッケージ化して専用オーバーヘッド・パケットを取得し、専用オーバーヘッド・パケットをスードワイヤを介してスードワイヤのサービス・パケットとしてピア・エンド・ノードに送信するように構成されているローカル・エンド・ノードと、
ローカル・エンド・ノードによってスードワイヤを介して送信され、スードワイヤのサービス・パケットとして伝送される専用オーバーヘッド・パケットを受信し、専用オーバーヘッド・パケットからＤＣＣバイトを含む対象オーバーヘッド・バイトを抽出するように構成されているピア・エンド・ノードと、
を含む。
【００１３】
前述の技術的な解決手段に記載された本開示の態様では、ＳＤＨ／ＳＯＮＥＴネットワークをＰＴＮネットワークに置き換えるプロセスにおいて、ＳＤＨ／ＳＯＮＥＴ信号がＰＴＮネットワークを介して伝送される必要があるとき、ＰＴＮネットワーク内で通信を実行する２つの端部の間に、スードワイヤが確立される。通信を実行する一方の端部で、最初に、伝送される必要があるＳＤＨ／ＳＯＮＥＴフレームのセクション・オーバーヘッド・バイトから対象オーバーヘッド・バイトが分離され、ここで、分離された対象オーバーヘッド・バイトは、ＳＤＨ／ＳＯＮＥＴフレーム内の全セクション・オーバーヘッド・バイトの一部であり、対象オーバーヘッド・バイトはＤＣＣバイトを含む。その後、対象オーバーヘッド・バイトはパッケージ化されて専用オーバーヘッド・パケットが取得され、専用オーバーヘッド・パケットは、スードワイヤを介して、スードワイヤのサービス・パケットとしてピア・エンド・ノードに送信される。
【００１４】
通信を実行するもう一方の端部において、スードワイヤを介してピア・エンド・ノードによって送信された専用オーバーヘッド・パケットが受信され、ここで、専用オーバーヘッド・パケットは、スードワイヤのサービス・パケットとして伝送される。その後、ＤＣＣバイトを含む対象オーバーヘッド・バイトが専用オーバーヘッド・パケットから抽出されることで、ＤＣＣバイトの透過的伝送を実現する。
【００１５】
ＤＣＣバイトは、専用オーバーヘッド・パケットにパッケージ化され、ＤＣＣバイトを搬送する専用オーバーヘッド・パケットは、スードワイヤのサービス・パケットとして伝送されるので、スードワイヤのマネージメント・パケットがＤＣＣバイトを伝送するために使用される従来技術と比較すると、ＰＴＮノード内の中間ノードは、スードワイヤで伝送されたパケットがペイロードを搬送するか、または、セクション・オーバーヘッドを搬送するかを認識する必要がなく、従って、ＰＴＮネットワーク内の中間ノードの負荷を軽減し、ＤＣＣバイトの真の透過的な伝送を実現する。
【００１６】
本発明または従来技術の技術的な解決手段をより明確にするために、本発明または従来技術の実施形態を示す添付図面を以下で簡単に説明する。添付図面は明らかに本発明の一部の実施形態だけを示すものであり、当業者は、創造的な努力をすることなく、これらの添付図面から他の添付図面を導き出すことができる。
【図面の簡単な説明】
【００１７】
【図１】ＰＴＮネットワーク内のＳＤＨ／ＳＯＮＥＴサービスの透過的伝送のプロセスの概略図である。
【図２】本発明の実施形態１によるＳＤＨ／ＳＯＮＥＴセクション・オーバーヘッド・バイトを伝送する方法のフローチャートである。
【図３】本発明の実施形態１による通信装置のブロック図である。
【図４】本発明の実施形態１による別の通信装置のブロック図である。
【図５】本発明の実施形態１によるＳＤＨ／ＳＯＮＥＴセクション・オーバーヘッド・バイトを伝送するシステムのブロック図である。
【図６】本発明の実施形態２によるＳＤＨ／ＳＯＮＥＴセクション・オーバーヘッド・バイトを伝送する方法のフローチャートである。
【図７】本発明の実施形態２において使用されるパケットのフォーマットの概略図である。
【図８】本発明の実施形態２による伝送方法の概略図である。
【図９】本発明の実施形態２において使用されるパケットヘッダの概略構成図である。
【図１０】本発明の実施形態２による別の伝送方法の概略図である。
【図１１】本発明の実施形態２による通信装置のブロック図である。
【図１２】本発明の実施形態２による別の通信装置のブロック図である。
【発明を実施するための形態】
【００１８】
ＰＴＮネットワークが様々なＳＤＨ／ＳＯＮＥＴネットワークに接続されているシナリオでは、１つのＳＤＨ／ＳＯＮＥＴネットワーク内の信号がＰＴＮネットワークを介して別のＳＤＨ／ＳＯＮＥＴネットワークに伝送されるべきとき、図１に示されるように、ＰＴＮネットワーク内のノードＰ１は、ＳＤＨ／ＳＯＮＥＴネットワークによってノードＰ０を介して送信されたＳＤＨ／ＳＯＮＥＴ信号を最初に受信し、ＳＤＨネットワークの管理を簡単化するため、ノードＰ１は、信号中のＤＣＣバイトをノードＰ２に全て伝送することが必要であり、その後、ＰＴＮネットワーク内のノードＰ２は、ＤＣＣバイトを別のＳＤＨ／ＳＯＮＥＴネットワーク内の受信ノードＰ３に伝送する。本発明の実施形態によるＳＤＨ／ＳＯＮＥＴセクション・オーバーヘッド・バイトを伝送する方法、装置およびシステムは、本発明の実施形態において添付図面を参照して明瞭かつ完全に示される。
【００１９】
（実施形態１）
本発明の実施形態は、ＳＤＨ／ＳＯＮＥＴセクション・オーバーヘッド・バイトを伝送する方法を提供し、図２に示されるように、この方法は、以下のステップを含む。
【００２０】
１０１：ＳＤＨ／ＳＯＮＥＴ信号を受信した後、ＰＴＮネットワーク内のノードＰ１は、ＳＤＨ／ＳＯＮＥＴフレームのセクション・オーバーヘッド・バイトから対象オーバーヘッド・バイトを最初に分離し、ここで、対象オーバーヘッド・バイトはＤＣＣバイトを含む。対象オーバーヘッド・バイトは、ＳＤＨ／ＳＯＮＥＴフレーム内の全セクション・オーバーヘッド・バイトの一部である。対象オーバーヘッド・バイトは、全てのＤＣＣバイトを含み、これらのＤＣＣバイトは、ＳＤＨ／ＳＯＮＥＴフレーム内のマネージメント・バイトである。
【００２１】
１０２：その後、Ｐ１は、対象オーバーヘッド・バイトをパッケージ化して専用オーバーヘッド・パケットを取得し、ここで、専用オーバーヘッド・パケットは対象オーバーヘッド・バイトを伝送するために使用され、パケット伝送中に、他のパケット、たとえば、ペイロードを搬送するパケットとは別々に伝送される。
【００２２】
１０３：対象オーバーヘッド・バイトが専用オーバーヘッド・パケットにパッケージ化された後、Ｐ１とピア・エンド・ノードとの間に確立されたスードワイヤを介して専用オーバーヘッド・パケットをピア・エンド・ノードに伝送し、ここで、専用オーバーヘッド・パケットは、スードワイヤのサービス・パケットとして伝送される。たとえば、図１におけるＰＴＮネットワーク内のノードＰ１は、スードワイヤを介して専用オーバーヘッド・パケットをＰ１のピア・エンド・ノードＰ２に伝送する。
【００２３】
１０４：専用オーバーヘッド・パケットがピア・エンド・ノード、すなわち、図１におけるノードＰ２に伝送された後、ノードＰ２は最初に、ノードＰ１によってスードワイヤを介して送信された専用オーバーヘッド・パケットを受信し、ここで、専用オーバーヘッド・パケットは、スードワイヤのサービス・パケットとして伝送されている。
【００２４】
１０５：その後、ノードＰ２は、専用オーバーヘッド・パケットから対象オーバーヘッド・バイトを抽出し、ここで、対象オーバーヘッド・バイトはＤＣＣバイトを含み、それによってＤＣＣバイトを取得する。
【００２５】
ＤＣＣバイトは、通信のローカル側で専用オーバーヘッド・パケットにパケット化され、その後、専用オーバーヘッド・パケットは、通信の２つの端部の間に確立されたスードワイヤを介して伝送される。通信のピア側で、専用オーバーヘッド・パケットがアンパッケージ化され、対象オーバーヘッド・バイトが抽出され、その後、ＤＣＣバイトが取得されることで、ＤＣＣの伝送を実施する。専用オーバーヘッド・パケットを伝送するプロセスにおいて、専用オーバーヘッド・パケットは、スードワイヤのサービス・パケットとして使用されるので、ＰＴＮネットワーク内の中間ノードは、スードワイヤで伝送されたパケットがペイロードを搬送するか、または、セクション・オーバーヘッドを搬送するかを認識する必要がなく、それによって、ＰＴＮネットワーク内の中間ノードの負荷を軽減し、ＤＣＣバイトの真の透過的伝送を実現する。
【００２６】
対応して、本発明の実施形態は、通信装置をさらに提供し、通信装置と、通信装置と通信するピア・エンド・ノードとの間にスードワイヤが確立される。図３に示されるように、この装置は、分離ユニット２１と、パッケージングユニット２２と、送信ユニット２３とを含む。
【００２７】
分離ユニット２１は、ＳＤＨ／ＳＯＮＥＴフレームのセクション・オーバーヘッド・バイトから対象オーバーヘッド・バイトを分離するように構成され、ここで、対象オーバーヘッド・バイトはバイトを含み、ＤＣＣバイトのこの部分は、ＳＤＨフレーム内のマネージメント・バイトである。パッケージングユニット２２は、分離ユニット２１によって分離された対象オーバーヘッド・バイトをパッケージ化して専用オーバーヘッド・パケットを取得するように構成されており、専用オーバーヘッド・パケット伝送中に他のパケットとは別々に伝送される。
【００２８】
その後、送信ユニット２３は、専用オーバーヘッド・パケットをスードワイヤを介して、スードワイヤのサービス・パケットとしてピア・エンド・ノードに送信するように構成されている。
【００２９】
通信装置は、ＤＣＣバイトを専用オーバーヘッド・パケットにパッケージ化し、その後、専用オーバーヘッド・パケットをスードワイヤのサービス・パケットとしてスードワイヤを介してピア・エンド・ノードに伝送することを実施する。
【００３０】
本発明の実施形態は、通信装置をさらに提供し、通信装置と、通信装置のピア・エンド・ノードとの間にスードワイヤが確立される。図４に示されるように、この装置は、受信ユニット３１と抽出ユニット３２とを含む。
【００３１】
ピア・エンド・ノードがスードワイヤを介して専用オーバーヘッド・パケットを送信するとき、受信ユニット３１は、ピア・エンド・ノードによってスードワイヤを介して送信される専用オーバーヘッド・パケットを受信するように構成され、ここで、専用オーバーヘッド・パケットは、スードワイヤのサービス・パケットとして伝送される。
【００３２】
次に、抽出ユニット３２は、受信ユニット３１によって受信された専用オーバーヘッド・パケットから、ＤＣＣバイトを含む対象オーバーヘッド・バイトを抽出するように構成されている。このようにして、ＤＣＣバイトの伝送が実現される。
【００３３】
本発明の実施形態によって提供される２台の通信装置の間の通信のプロセスにおいて、一方の通信装置は、ＤＣＣバイトを専用オーハーヘッド・バイトにパッケージ化し、その後、スードワイヤを介して専用オーバーヘッド・バイトを他方の通信装置に送信する。他方の通信装置は、専用オーバーヘッド・パケットを受信した後、専用オーバーヘッド・パケットをアンパッケージ化することにより専用オーバーヘッド・パケットからＤＣＣバイトを抽出し、それによって、ＤＣＣバイトの透過的な伝送を実現する。専用オーバーヘッド・パケットを伝送するプロセスでは、専用オーバーヘッド・パケットはスードワイヤのサービス・パケットとして伝送されるので、ＰＴＮネットワーク内の中間ノードは、スードワイヤで伝送されたパケットがペイロードを伝送するか、または、セクション・オーバーヘッドを伝送するかを認識する必要がなく、それによって、ＰＴＮネットワーク内の中間ノードの負荷を軽減し、ＤＣＣバイトの真の透過的伝送を実現する。
【００３４】
２台の通信装置は更に、ＳＤＨ／ＳＯＮＥＴセクション・オーバーヘッド・バイトを伝送するシステムを形成することができ、図５に示されるように、このシステムは、ローカル・エンド・ノード４１とピア・エンド・ノード４２とを含む。
【００３５】
ローカル・エンド・ノード４１は、ＳＤＨ／ＳＯＮＥＴフレームのセクション・オーバーヘッド・バイトからＤＣＣバイトを含む対象オーバーヘッド・バイトを分離し、対象オーバーヘッド・バイトをパッケージ化して専用オーバーヘッド・パケットを取得し、専用オーバーヘッド・パケットを、スードワイヤを介して、スードワイヤのサービス・パケットとしてピア・エンド・ノード４２に送信するように構成されている。
【００３６】
ピア・エンド・ノード４２は、ローカル・エンド・ノード４１によってスードワイヤを介して送信された、スードワイヤのサービス・パケットとして伝送される専用オーバーヘッド・パケットを受信し、専用オーバーヘッド・パケットからＤＣＣバイトを含む対象オーバーヘッド・バイトを抽出するように構成されている。
【００３７】
ローカル・エンド・ノードは、具体的には、図３または図１１に示された通信装置でもよく、ピア・エンド・ノードは、図４または図１２に示された通信装置でもよい。
【００３８】
（実施形態２）
本発明の本実施形態では、適用シナリオとして、ＰＴＮネットワークが様々なＳＤＨネットワークに接続されることが仮定され、ＳＤＨ／ＳＯＮＥＴセクション・オーバーヘッド・バイトを伝送する方法が以下でより詳細に紹介される。図６に示されるように、この方法は、以下のステップを含む。
【００３９】
５０１：ＳＤＨ信号を受信し、対象オーバーヘッド・バイトを分離する。
【００４０】
適用シナリオの概略図は図１に示された通りであり、一方のＳＤＨネットワーク内のノードＰ０が別のＳＤＨネットワーク内のノードＰ３に信号を伝送する必要がある、と仮定する。この場合、ＰＴＮネットワーク内のノードＰ１がＳＤＨ信号を受信した後、オーバーヘッド・透過的な伝送についての要件を分析し、拡張性要件を考慮することにより、対象オーバーヘッド・バイトが透過的に伝送される必要がある、と決定する。具体的な実施プロセスでは、伝送は以下の表１に示された３２バイトで実行される、と決定され得る。
【００４１】
【表１】
0005597765.tif 000002
【００４２】
２１番目から３１番目のバイトは、構成可能バイトであり、伝送中に伝送されない省略バイトが見つかった場合、オーバーヘッド・バイトのうちのいずれか１つがソフトウェアの設定によって選択されることができる。
【００４３】
Ｄ１からＤ１２までのバイトは、ＤＣＣバイトであり、これらのＤＣＣバイトは、ＳＤＨフレーム内のマネージメント・バイトであり、透過的に伝送されるべきである。
【００４４】
ＳＤＨフレームの全セクション・オーバーヘッド・バイト内の連番１から連番４までのバイトの位置は、表２に示される。
【００４５】
【表２】
0005597765.tif 000003
【００４６】
表１において、一連番号００から一連番号３０までのバイトは、ＳＤＨフレームの全てのセクション・オーバーヘッド・バイトから分離され、これらの３１バイトが対象オーバーヘッド・バイトを形成する。一連番号３１のバイトはＩＤ番号である。このバイトは、ソフトウェアによって構成されたローカル・ノードのＩＤを指示し、特殊な識別子を伝送する場合もあり、実際の伝送中に対象オーバーヘッド・バイトと一緒に伝送されることもある。表２におけるＳＤＨフレームのセクション・オーバーヘッド・バイトの構造から分かるように、伝送されるべき対象オーバーヘッド・バイトは、セクション・オーバーヘッド・バイトの一部に過ぎない。本発明の本実施形態では、全セクション・オーバーヘッド・バイトを伝送することは必要とされず、このことによって、帯域幅を節約する。
【００４７】
５０２：対象オーバーヘッド・バイトをパッケージ化して専用オーバーヘッド・パケットを取得する。
【００４８】
専用オーバーヘッド・パケットは、対象オーバーヘッド・バイトの伝送に専用のものであり、パケット伝送中に、他のパケット、たとえば、ペイロードを搬送するパケットとは別個に伝送される。
【００４９】
具体的な実施プロセスでは、オーバーヘッド搬送専用のパケットは、ＣＥＰ（サーキット・エミュレーション・オーバー・パケット）プロトコルを参照して定義されることができ、パケットのフォーマットは、図７に示されているが、ＲＴＰ（リアルタイム転送プロトコル）ヘッダがオプショナルである。このフォーマットは、ペイロードを搬送するパケットのフォーマットに類似しているが、パケットによって搬送される内容は対象オーバーヘッド・バイトである。オーバーヘッド搬送専用のパケットは、専用オーバーヘッド・パケットと称されることができる。対象オーバーヘッド・バイトがパッケージ化されたとき、ＩＤバイトも同様に搬送され、専用オーバーヘッド・パケットの中に一緒にパッケージ化されることができる。前述の分析から分かるように、全部で３１個の対象オーバーヘッド・バイトと１個のＩＤバイトが存在するので、パケットのＳＯＨフィールドは、３２バイトに一致する。
【００５０】
５０３：対象オーバーヘッド・バイトが専用オーバーヘッド・パケットの中にパッケージ化された後、通信の２つの端部の間に確立されたスードワイヤを介して、専用オーバーヘッド・パケットを、スードワイヤのサービス・パケットとしてピア・エンド・ノードに送信する。
【００５１】
具体的な実施プロセスでは、たとえば、図１におけるＰＴＮネットワークでは、ノードＰ１は、スードワイヤを介して専用オーバーヘッド・パケットをピア・エンド・ノードＰ２に伝送するが、専用オーバーヘッド・パケットを伝送する態様は、限定されることはないが、以下の２つの方式を採用することができる。
【００５２】
方式１：専用オーバーヘッド・パケットは、ＳＤＨフレームのペイロードを搬送するパケットの間に挿入されることができ、その後、専用オーバーヘッド・パケットとＳＤＨフレームのペイロードを搬送するパケットとは、同じスードワイヤを介してピア・エンド・ノードに送信される。
【００５３】
この伝送方式の概略図は、図８に示される。ＰＷ（スードワイヤ）を介して伝送されるパケットの中で、黒色正方形は専用オーバーヘッド・パケットを表し、白色正方形はペイロードを搬送するパケットを表す。伝送中に、ペイロードを搬送するパケットと、専用オーバーヘッド・パケットとは、同じスードワイヤのサービス・パケットとして共に使用され、このようなあらゆる２個の専用オーバーヘッド・パケットの間に位置しているペイロードを搬送するパケットの個数は等しい。ペイロードを搬送するパケットの個数は、ペイロードスライスのサイズと関連付けられる。たとえば、個々の白色正方形によって表されるパケットが７８３バイトのペイロードスライスを搬送するとき、３個の白色パケットがあらゆる２個の黒色パケットの間に存在する。しかし、スライスのカットの仕方にかかわらず、あらゆる２個の黒色パケットの間の白色パケットの個数は等しくなる。このようにして、クロック情報の伝送の際にもたらされる遅延変動を低減させることができる。
【００５４】
この方式がパケットを伝送するため使用されるとき、タイプフィールドがパケットヘッダ内に追加される必要があり、たとえば、パケットによって搬送される内容がオーバーヘッドであるか、または、ペイロードであるかを区別するために、パケットヘッダ内で２ビットが使用されることができる。図９に示されるように、Ｌビットが、ＣＥＰ−ＡＩＳ（ＣＥＰアラーム指示信号）を表す。ＡＣがリンクエラーを検出したとき、このＬビットは、ダウンストリームＰＥに通知するために１にセットされる。
【００５５】
Ｒビットは、ＣＥＰ−ＲＤＩ（ＣＥＰ遠隔欠陥指示）を表す。非同期がパケット同期中に起こったとき、Ｒビットは、アップストリームＰＥに通知するために１にセットされるべきである。パケット再同期化後、このＲビットは、０にリセットされるべきである。
【００５６】
ＮビットおよびＰビットは、ＰＳＮネットワークにおけるポインタ正／負調節のためのリレーとして使用され、これらのビットは、所望により（オプションとして）使用される。ポインタリレー機能がサポートされていないとき、ＰビットおよびＮビットは、０にセットされるべきである。
【００５７】
ＦＲＧビットは、使用される必要がないセグメント表示を表す。このビットは、送信側で０にセットされ、受信側では無視される。
【００５８】
タイプフィールドが図９におけるパケットヘッダのフォーマットにおいて追加され、タイプフィールドは、２ビットを占有し、ここで、タイプフィールドの値は、以下の通り定義されることができる。
【００５９】
値が００であるとき、タイプフィールドは、パケットによって搬送される内容がペイロードタイプであることを指示する。
【００６０】
値が０１であるとき、タイプフィールドは、パケットによって搬送される内容がオーバーヘッドタイプであることを指示する。
【００６１】
値が１ｘであるとき、タイプフィールドは、パケットによって搬送される内容が予約タイプであることを指示する。
【００６２】
加えて、タイプフィールドの位置は図９に示された位置に限定されることはなく、パケットヘッダ内の別の位置でもよい。タイプフィールドによって使用される具体的なビットの個数も同様に、パケットによって搬送される内容がオーバーヘッドであるか、または、ペイロードであるかが区別され得る限り、２ビットに限定されることがない。
【００６３】
この伝送方式では、ペイロードとオーバーヘッドとは、同じパスを通る。
【００６４】
方式２：専用スードワイヤが確立され、専用オーバーヘッド・パケットは専用スードワイヤのサービス・パケットとして使用され、その後、専用オーバーヘッド・パケットが専用スードワイヤを介してピア・エンド・ノードに送信される。
【００６５】
この方式では、パケットヘッダを拡張することは必要とされず、スードワイヤが専用スードワイヤであるかどうかはスードワイヤのラベルを用いて識別されることができる。図１０に示されるように、ＰＷ１は専用オーバーヘッド・パケットを伝送する専用スードワイヤを表し、他方のスードワイヤＰＷ２は、ペイロードを搬送するパケットを伝送する共通スードワイヤである。ＰＷ１上の黒色正方形は、専用オーバーヘッド・パケットを表し、他方のスードワイヤＰＷ２上の白色正方形は、ペイロードを搬送するパケットを表す。
【００６６】
具体的な実施プロセスでは、２つのスードワイヤは、同じパスを通るために１つのＬＳＰ（ラベル・スイッチド・パス）にバインドされることがある。この方式は、ポイント・ツー・ポイント・エミュレーションに適用可能であり、すなわち、エミュレーションの２つの端部のレートが同じである。たとえば、ＳＴＭ−１サービスが２つの端部で実行されるとき、２つのスードワイヤが１つのＬＳＰにバインド（結合）されることがある。
【００６７】
或いは、２つのスードワイヤの各々が一つＬＳＰに対応することもでき、このようにして、異なるパスを通ることもできる。この方式は、比較的に、ポイント・ツー・マルチポイント・エミュレーションに適用可能であり、すなわち、エミュレーションの２つの端部のレートが異なる。たとえば、ＳＴＭ−４サービスが一方の端部で実行され、複数の異なったＳＴＭ−１サービスが他の端部で実行されるとき、ＤＣＣ情報が１つのＳＴＭ−１サービスだけを用いて伝送される。
【００６８】
５０４：専用オーバーヘッド・パケットがピア・エンド・ノード、すなわち、図１におけるノードＰ２に伝送された後、ノードＰ２は、最初に、ノードＰ１によってスードワイヤを介して、スードワイヤのサービス・パケットとして送信された専用オーバーヘッド・パケットを受信し、専用オーバーヘッド・パケットが、スードワイヤのサービス・パケットから抽出されることができる。
【００６９】
５０５：対象オーバーヘッド・バイトを抽出し、対象オーバーヘッド・バイトを再構成されたＳＤＨフレームに挿入する。
【００７０】
専用オーバーヘッド・パケットを取得した後、ノードＰ２は、アンパッケージ化によって専用オーバーヘッド・パケットから対象オーバーヘッド・バイトを抽出することができる。具体的な実施プロセスでは、異なる伝送法域に応じて異なる処理ステップが適用されることができる。たとえば、パケットがステップ５０３において方式１を使用して伝送されたとき、最初に、専用オーバーヘッド・パケットが、パケットヘッダ内のタイプフィールドに応じてスードワイヤのサービス・パケットから識別される。タイプフィールドが値０１を有しているパケットが全パケットから見つかった場合、このパケットは、専用オーバーヘッド・パケットであることをタイプフィールドの定義から知ることができる。その後、識別された専用オーバーヘッド・パケットから対象オーバーヘッド・バイトが抽出される。対象オーバーヘッド・バイトはＤＣＣバイトを含むので、ＤＣＣバイトを取得することができる。
【００７１】
パケットがステップ５０３において方式２を使用して伝送されたとき、最初に専用スードワイヤがスードワイヤのラベルに応じて識別される。その後、専用オーバーヘッド・パケットが専用スードワイヤのサービス・パケットから識別される。識別された専用オーバーヘッド・パケットから対象オーバーヘッド・バイトが抽出されることができり、その後、ＤＣＣバイトが取得されることができる。
【００７２】
どちらの伝送方式を採用したかにかかわらず、ＤＣＣバイトは透過的に伝送されることができる。ＤＣＣバイトを含む対象オーバーヘッド・バイトが取得された後、対象オーバーヘッド・バイト内の個々のオーバーヘッド・バイトを順番に再構成されたＳＤＨフレームに挿入することが必要とされる。
【００７３】
５０６：伝送されないオーバーヘッド・バイトを再生成し、その後、これらのオーバーヘッド・バイトを再構成されたＳＤＨフレームに挿入する。表２におけるＳＤＨフレームのセクション・オーバーヘッド・バイトの構造から分かるように、伝送されるべき対象オーバーヘッド・バイトの他、Ｂ１、Ｂ２およびＭ１のようなバイトの一部分は、伝送されない。伝送されないこの部分のバイトは、再生成される必要があり、その後、再生成されたバイトが再構成されたＳＤＨフレームに挿入され、ここで、再構成されたＳＤＨフレーム内での対象オーバーヘッド・バイトおよび再生成されたオーバーヘッド・バイトのそれぞれの位置は、伝送前のＳＤＨフレーム内でのこれらのそれぞれの位置と同じである。
【００７４】
５０７：再構成されたＳＤＨ信号を別のＳＤＨネットワークに送信する。
【００７５】
ＰＴＮネットワーク内のノードＰ２は、再構成されたＳＤＨフレームを別のＳＤＨネットワーク内の受信ノードＰ３に送信し、それによって、ＳＤＨ信号の伝送を完了する。
【００７６】
オーバーヘッド・バイトは、スードワイヤのサービス・パケットを介して伝送されるので、ＰＴＮネットワーク内の中間ノードは、スードワイヤ内で伝送されたパケットがペイロードまたはセクション・オーバーヘッドを搬送するかどうかを認識する必要がなく、それによって、ＰＴＮネットワーク内の中間ノードの負荷を軽減し、ＤＣＣバイトの真の透過的伝送を実現する。
【００７７】
本発明の実施形態は、通信装置をさらに提供し、通信装置と、通信装置のピア・エンド・ノードとの間にスードワイヤが確立されている。図１１に示されるように、この装置は、分離ユニット６１と、パッケージングユニット６２と、送信ユニット６３とを含む。
【００７８】
分離ユニット６１は、ＳＤＨ／ＳＯＮＥＴフレームのセクション・オーバーヘッド・バイトからＤＣＣバイトを含む対象オーバーヘッド・バイトを分離するように構成されている。これらのＤＣＣバイトは、ＳＤＨ／ＳＯＮＥＴフレーム内のマネージメント・バイトであり、透過的に伝送されるべきである。パッケージングユニット６２は、対象オーバーヘッド・バイトをパッケージ化して、伝送中に他のパケットとは別個に伝送される専用オーバーヘッド・パケットを取得するように構成されている。
【００７９】
また、送信ユニット６３は好ましくは、第１の送信モジュール６３Ａを含む。第１の送信モジュール６３Ａは、専用オーバーヘッド・パケットと、ＳＤＨ／ＳＯＮＥＴフレームのペイロードを搬送するパケットとを同じスードワイヤを介してピア・エンド・ノードに送信するように構成され、ここで、ペイロードを搬送するパケットと、専用オーバーヘッド・パケットとは、同じスードワイヤのサービス・パケットとして共に伝送され、このような２つの専用オーバーヘッド・パケットの間に位置するペイロードを搬送するパケットの個数は等しい。
【００８０】
あるいは、所望により、送信ユニット６３は、第２の送信モジュール６３Ｂを含む。第２の送信モジュール６３Ｂは、専用オーバーヘッド・パケットを、専用スードワイヤを介して、このスードワイヤのサービス・パケットとしてピア・エンド・ノードに送信するように構成されている。更に、第２の送信モジュール６３Ｂは、ＳＤＨ／ＳＯＮＥＴフレームのペイロードを搬送するパケットを別のスードワイヤを介してピア・エンド・ノードに送信するように構成されている。
【００８１】
通信装置は、ＤＣＣバイトを専用オーバーヘッド・パケットにパッケージ化し、専用オーバーヘッド・パケットをスードワイヤのサービス・パケットとしてスードワイヤを介してピア・エンド・ノードに伝送することを実現する。
【００８２】
本発明の実施形態は、通信装置をさらに提供し、通信装置と、通信装置のピア・エンド・ノードとの間にスードワイヤが確立される。図１２に示されるように、この装置は、受信ユニット７１と、抽出ユニット７２と、再生成ユニット７３と、再構成ユニット７４とを含む。
【００８３】
受信ユニット７１は、ピア・エンド・ノードによってスードワイヤを介して送信される専用オーバーヘッド・パケットを受信するように構成され、ここで、専用オーバーヘッド・パケットは、スードワイヤのサービス・パケットとして伝送されている。
【００８４】
その後、好ましくは、抽出ユニット７２は、第１の識別モジュール７２Ａと第１の抽出モジュール７２Ｂとを含む。
【００８５】
第１の識別モジュール７２Ａは、パケットのパケットヘッダのタイプフィールドに応じてスードワイヤのサービス・パケットから専用オーバーヘッド・パケットを識別するように構成されている。第１の抽出モジュール７２Ｂは、識別された専用オーバーヘッド・パケットから対象オーバーヘッド・バイトを抽出するように構成されている。
【００８６】
あるいは、所望により、抽出ユニット７２（図示されず）は、第２の識別モジュール７２Ｃと第２の抽出モジュール７２Ｄとを含む。
【００８７】
第２の識別モジュール７２Ｃは、スードワイヤのラベルに応じて専用スードワイヤを識別し、専用スードワイヤのサービス・パケットから専用オーバーヘッド・パケットを識別するように構成されている。第２の抽出モジュール７２Ｄは、識別された専用オーバーヘッド・パケットから対象オーバーヘッド・バイトを抽出するように構成されている。
【００８８】
伝送された対象オーバーヘッド・バイトは、抽出ユニットを介して取得され、伝送されないオーバーヘッド・バイトの一部が存在する。再生成ユニット７３は、伝送されないオーバーヘッド・バイトを再生成するように構成されている。
【００８９】
最後に、再構成ユニット７４は、抽出された対象オーバーヘッド・バイトと再生成されたオーバーヘッド・バイトとを、再構成されたＳＤＨ／ＳＯＮＥＴフレームに挿入するように構成され、ここで、再構成されたＳＤＨ／ＳＯＮＥＴフレーム内での対象オーバーヘッド・バイトおよび再生成されたオーバーヘッド・バイトのそれぞれの位置は、伝送前のＳＤＨ／ＳＯＮＥＴフレーム内でのこれらのそれぞれの位置と同じである。
【００９０】
本発明の実施形態により提供される２台の通信装置は、連携して使用される。先に説明された通信装置における送信ユニットは採用する特定のモジュールに対応して、後で説明された通信装置における抽出ユニット特定のモジュールが採用される。たとえば、一方の通信装置の送信ユニットが専用オーバーヘッド・パケットを送信するために第１の送信モジュールを採用するとき、他方の通信装置における抽出ユニットは、専用オーバーヘッド・パケットを識別するために第１の識別モジュール７２Ａを採用し、専用オーバーヘッド・パケットから対象オーバーヘッド・バイトを抽出するために第１の抽出モジュールを採用する。同様に、一方の通信装置の送信ユニットが専用オーバーヘッド・パケットを送信するために第２の送信モジュールを採用するとき、他方の通信装置における抽出ユニットは、専用オーバーヘッド・パケットを識別するために第２の識別モジュール７２Ａを採用し、専用オーバーヘッド・パケットから対象オーバーヘッド・バイトを抽出するために第２の抽出モジュールを採用する。
【００９１】
本発明の実施形態により提供される２台の通信装置は、ＰＴＮタイプの製品でもよい。オーバーヘッド・バイトを伝送するために複数の通信装置を使用するプロセスでは、オーバーヘッド・バイトを搬送する専用オーバーヘッド・パケットがスードワイヤのサービス・パケットとして伝送されるので、ＰＴＮネットワーク内の中間ノードは、スードワイヤで伝送されたパケットがペイロードまたはセクション・オーバーヘッドを搬送するかどうかを認識する必要がなく、それによって、ＰＴＮネットワーク内の中間ノードの負荷を軽減し、ＤＣＣバイトの真の透過的伝送を実施する。
【００９２】
本発明の実施態様は、ＰＴＮネットワークによりＳＤＨ／ＳＯＮＥＴネットワークを置き換える分野に主として適用され、ＰＴＮネットワークによりＡＴＭ（非同期転送モード）ネットワークを置き換える分野にも適用できる。ＡＴＭネットワークは、ＡＴＭサービスセルおよびＡＴＭマネージメントセルを含むので、ＡＴＭサービスセルおよびＡＴＭマネージメントセルの透過的な伝送は、本発明の実施形態において言及された方法と、装置と、システムとを使用することにより実施されることができる。
【００９３】
前述の実施方法の説明を通じて、本発明は、ソフトウェアと、さらに所要の汎用ハードウェアとによって、または、ハードウェアによって達成されてもよいことが当業者にとって明らかであるが、多くの条件において前者が好ましい実施態様である。このことに基づいて、先述の技術的な解決手段または従来技術に貢献する部分は、ソフトウェア製品の形式で実質的に具体化されることができる。コンピュータ・ソフトウェア製品は、コンピュータのフロッピーディスク（登録商標）、ハードディスク、または、光ディスクのような読み取り可能な記憶媒体に記憶されることができ、本発明の各実施形態に応じた方法を実行することをコンピュータ装置（たとえば、パーソナルコンピュータ、サーバ、または、ネットワーク装置）に指示するために使用されるいくつかの命令を保持する。
【００９４】
以上の記載は、本発明の具体的な実施形態に過ぎず、本発明の保護範囲は、これに限定されない。本発明の技術的範囲から逸脱することなく当業者によってなされた変更または置換はいずれも本発明の保護範囲に含まれるべきである。したがって、本発明の保護範囲は、請求項の保護範囲に従う。
【図１】
0005597765.tif 000004
【図２】
0005597765.tif 000005
【図３】
0005597765.tif 000006
【図４】
0005597765.tif 000007
【図５】
0005597765.tif 000008
【図６】
0005597765.tif 000009
【図７】
0005597765.tif 000010
【図８】
0005597765.tif 000011
【図９】
0005597765.tif 000012
【図１０】
0005597765.tif 000013
【図１１】
0005597765.tif 000014
【図１２】
0005597765.tif 000015